(57)【特許請求の範囲】
【請求項１】
ホースが引き出し自在に挿通される水栓の本体内部に浸入した浸入水を排出するための水栓の浸入水排出構造であって、
前記ホースが収容される前記本体の挿通孔には排出口が形成され、該排出口よりも挿通孔先端寄りの前記挿通孔の内周面下部には、その上方に前記ホースを支持するリブが形成され、前記リブの基端部が先端部よりも低く形成されたことを特徴とする水栓の浸入水排出構造。
【発明の詳細な説明】
【技術分野】
【０００１】
本発明は、ホースが引き出し自在に取り付けられた水栓の本体内に浸入する湯水等の浸入水を排出するための水栓の浸入水排出構造に関する。
【背景技術】
【０００２】
従来、流し台や洗面台等にシャワー装置等を収容保持するための水栓が用いられており、このような水栓には、シャワーヘッド等の吐水具に接続されたホースが水栓の本体から引き出し自在に取り付けられ、流し台シンクや洗面ボウル等内の所望の位置でシャワー散水を得ることができるホース引き出し式の水栓も知られている。このような水栓では、ホースが挿通される水栓の開口部の隙間等から水栓本体内部に湯水が浸入し、ホースを伝って流し台や洗面台下側のキャビネット内等に湯水が垂れるおそれがある。そこで、従来、ホースに伝わって滴下する湯水を水栓本体途中からその外部に排出するための排出口を設けるなどの、水栓の浸入水排出構造が用いられている。
【０００３】
このような水栓の浸入水排出構造としては、例えば、図７に示すように、水栓１０の本体１１に排出口６０を形成するとともに、この排出口６０の上流側に、ホース１８に直接接触するとともに表面に多数の通孔を有する表面材６２と、その下側に重ねられたスポンジ等の吸水材６４とからなる水切部材６６を用いるものが知られている。この浸入水排出構造６８では、水栓１０内に斜めに収容されるホース１８の表面に付着する浸入水を、ホース１８出し入れの際に表面材６２によってしごくように取り除くとともに、取り除いた浸入水を吸水材６４によって吸収させて排出口６０から確実に排出させるものである。また、表面材６２によって吸水材６４を保護することにより、ホース１８の出し入れによって吸水材６４がすり切れて水切り能力の低下することが防止されている（例えば、特許文献１参照。）。
【０００４】
【特許文献１】特開２００２−３６４０３６号公報（図３）
【発明の開示】
【発明が解決しようとする課題】
【０００５】
ところが、この水栓１０の浸入水排出構造６８では、上記したように、ホース１８と直接摺接する水切部材６６がホース１８の引き出し・収納の際にホース１８外周面の浸入水をしごくようにして取り除くことができるが、ホース１８が引き出された状態、又は、ホース１８が収納された状態のままでは効率良く水切りを行うことができない。よって、ホース１８を引き出した状態で吐水を行っている場合に浸入した浸入水や、ホース１８を収納した状態で流れ落ちる浸入水は十分に水切りを行うことができず、ホース１８外周面を伝ったまま水栓１０下方に流れ落ちてしまう。また、勢い良く水栓１０内に湯水が浸入した場合などには、浸入水は、水切部材６６を乗り越えてホース１８外周面の側方や上側に跳ね上がって、排出口６０を越えて水栓１０内部の下方へ流れ落ちていってしまうおそれもある。
【０００６】
本発明は上記した従来の水栓の浸入水排出構造の問題点を解消するものであり、ホース外周面を伝わる浸入水を減少させ、また、浸入水の水勢を抑えて排出口を飛び越える浸入水を減少させ、排出口から効率よく浸入水を排出させることのできる水栓の浸入水排出構造を提供することを目的とする。
【課題を解決するための手段】
【０００７】
以上の課題を解決するために、本発明の採った手段を以下に説明する。本発明の水栓の浸入水排出構造は、ホースが引き出し自在に挿通される水栓の本体内部に浸入した浸入水を排出するための水栓の浸入水排出構造であって、前記ホースが収容される前記本体の挿通孔には排出口が形成され、該排出口よりも挿通孔先端寄りの前記挿通孔の内周面下部には、その上方に前記ホースを支持するリブが形成され、前記リブの基端部が先端部よりも低く形成されたことを特徴とする水栓の浸入水排出構造（請求項１）である。
【０００８】
このように挿通孔内でホースを支持するリブが形成されることにより、ホースの外周面は挿通孔内周面の下部から離れて挿通孔の上方に位置される。よって、ホースを伝う浸入水をホース外周面から分離させて下方に滴下させることができる。このようにして、ホース外周面を伝う浸入水を減少させ、浸入水を効率よく排出口から排出させることができる。また、リブによって、浸入水がリブの両側に分流されることにより、ホース外周面から滴下された浸入水の水勢を弱めることができ、浸入水が水勢によって排出口を飛び越えることを防止することができる。
【００１０】
また、排出口の近傍のリブ基端部が、リブの先端部よりも低く形成されることにより、排出口の直前においてリブとホース外周面との間にも隙間を設けることができる。ここで、リブの先端部とは、吐水口における先端側の部位を言い、リブの基端部とは、吐水口における基端側の部位を言う。よって、ホースとリブとの間に伝わる浸入水についても、この隙間によって挿通孔下部に滴下させることが容易となり、より一層浸入水の排出を効率よく行うことができる。
【発明の効果】
【００１１】
本発明は上記のようにリブが設けられているので、ホース外周面を伝わる浸入水を減少させるとともに、浸入水の水勢を抑えて排出口を飛び越える浸入水を減少させ、排出口から効率よく浸入水を排出させることができる。
【発明を実施するための最良の形態】
【００１２】
次に、本発明の水栓の浸入水排出構造の実施の形態を図を参考にして詳細に説明する。図１に示すように、水栓の浸入水排出構造１は、流し台や洗面台のデッキ面（図示省略）上に設置される水栓１０の本体１１に設けられるものである。本体１１のボデーユニット１２の上部には、レバーハンドル１３が取り付けられ、また、ボデーユニット１２の側面中央付近には、吐水口１５が水平方向に回動自在に取り付けられている。そして、この水栓１０は、レバーハンドル１３を操作することにより、吐水口１５先端に着脱自在に保持されるシャワーヘッド１４からの吐止水及び吐水量の調整を行うことができるものである。
【００１３】
シャワーヘッド１４は、吐水口１５の先端開口部１６に着脱自在に保持されている。また、シャワーヘッド１４に接続されたホース１８は、先端開口部１６奥の挿通孔２０内に引き出し自在に収容挿通されており、シャワーヘッド１４をホース１８ごと引き出すことにより、流し台シンクや洗面ボウル（図示省略）内の所望の位置においてシャワーヘッド１４からの吐水を得ることができるように構成されている。そして、図示は省略するが、水栓１０下方に引き回されるホース１８は、引き出しが可能な十分な長さに水栓１０の下方に垂れ下げられ、さらにその端部は、水栓１０の本体１１内に内蔵された弁装置に接続されている。また、ホース１８は、外周面が蛇腹状に形成されたいわゆるフレキシブル管から構成され、一定の剛性を備えるとともにある程度自由に可撓可能に設けられており、ホース１８を円滑に引き出し・収容できるように構成されている。なお、本例のホース１８の外径は約１４mmに設けられている。
【００１４】
吐水口１５は、ボデーユニット１２から斜め上方にその先端が向けられて取り付けられている。また、その全体が、先端に行くにしたがって下方に緩やかに湾曲した形状とされている。吐水口１５の横断面形状は、先端に行くにしたがって先細となるように形成されている。また、後述するように、吐水口１５内部の挿通孔２０の横断面形状も先端に行くにしたがって先細となる形状に形成されており、基端側の最も大径の部位で約３５mmに、先端側で約２４mmに設けられている。
【００１５】
また、斜め上方に突設された吐水口１５の側面部の下側に向けられる部位には、吐水口１５の先端寄りに、先端側から順に、第一排出口２２と係止孔２４とが穿設されている。また、吐水口１５の基端寄りには第二排出口２６が穿設されている。第一排出口２２は、先端開口部１６から浸入した浸入水を、第二排出口２６に先だって排出するために形成されるものである。また、係止孔２４は、後述する水切部材３０の係止突起３８が係止されて、水切部材３０を吐水口１５内に固定するために設けられており、平面視が係止突起３８とほぼ同形状に形成されている。第二排出口２６は、傾斜して突設される吐水口１５の外側壁に対して、鉛直方向に穿設されており、同じく鉛直方向に突設される壁部５０と相まって、浸入水を確実に排出できるように形成されている。また、第二排出口２６の後方側の挿通孔２０の内周面の下部部分には、上部が半円状に切り欠かれた壁部５０が設けられている。そして、この壁部５０の上部にホース１８が載置されるとともに、ホース１８の引き出し・収納の際にはこの壁部５０上をホース１８が移動される。
【００１６】
吐水口１５の先端開口部１６内には、ほぼ円筒状の水切部材３０が挿嵌固定されており、ホース１８は、この水切部材３０内に挿通されて吐水口１５内に挿通されている。水切部材３０の先端外周面にはセレーション３２が刻設されており、シャワーヘッド１４が吐水口１５に保持される際には、シャワーヘッド１４が水切部材３０の先端に挿嵌接続されるとともにシャワーヘッド１４の基端部内周面のセレーション１７が水切部材３０側のセレーション３２に噛合することにより、吐水口１５に対するシャワーヘッド１４の回動が防止されている。また、吐水口１５に取り付けられた状態で下方に向けられる水切部材３０の側面の中央付近には開口部３４が形成されている。この開口部３４は、吐水口１５内に取り付けられた状態で第一排出口２２に臨む位置に配置され、ホース１８を伝う浸入水が、この開口部３４から第一排出口２２に導かれるように構成されている。また、水切部材３０の基端部には、片持ち梁状に突設された係止片３６が設けられており、この係止片３６の先端に設けられた係止突起３８が、上記したように、吐水口１５の係止孔２４に係止される。
【００１７】
次いで、吐水口１５の挿通孔２０内に形成されたリブ４０について説明する。リブ４０は、図１に示すように、挿通孔２０の長手方向に沿って、その中央付近から第二排出口２６の直前にかけて、挿通孔２０の内周面下部から上方に向けて突設されている。図２及び図３に示すように、リブ４０は、挿通孔２０の内周面下部中央から、挿通孔２０の中心に向かって突設されている。挿通孔２０の内周面からのリブ４０の高さは約５mmに設けられている。また、リブ４０は、図３に示すようにその横断面形状が、上端が先細となる約２０度の角度に開いた扇状に形成されており、また、その上端部４２の幅は約２mmに設けられている。また、リブ４０の第二排出口２６側の約６mmの長さの基端部４４は、挿通孔２０の内周面からの高さが約２mmとされており、約５mmの高さに設けられたリブ４０の先端部４６よりもその高さが低く設けられている。
【００１８】
このように構成された浸入水排出構造１では、以下のように浸入水を効率よく排出させることができる。まず、吐水口１５の先端開口部１６から、ホース１８との間から挿通孔２０内に浸入する浸入水は、ホース１８外周面から下方へ流れ、上記したように、水切部材３０の開口部３４を経て、第一排出口２２から一定量が排出される。第一排出口２２周辺に流れ落ちず、ホース１８外周面を伝って挿通孔２０下方へ流下する浸入水や、第一排出口２２周辺に流れ落ちたが、第一排出口２２を越えてしまった浸入水は、さらに挿通孔２０内を流下する。この際に、図２及び図３に示すように、ホース１８がリブ４０によって挿通孔２０の上方に支持されており、挿通孔２０の内周面下部から一定の距離がおかれている。よって、ホース１８の下部を伝う浸入水は、ホース１８下方の挿通孔２０の内周面下部に落下し、ホース１８外周面から容易に滴下させることができる。そして、図３に示すように、このようにホース１８から分離された浸入水Ｂは、リブ４０の両脇いずれかを通って第二排出口２６方向へと流れ落ちる。また、図２に示すように、リブ４０の基端側は、先端部４６よりも低く形成された基端部４４とされているため、特に先端部４６の上端部４２とホース１８外周面との間を伝わってきた浸入水なども、基端部４４とホース１８外周面との間に設けられる隙間４８によって、ホース１８外周面から容易に滴下させることができる。なお、同時に、基端部４４を設けておくことにより、第二排出口２６直前でリブ４０の左右の浸入水が合流して水勢が増すことを防止することもできる。そして、ホース１８から滴下された浸入水は、第二排出口２６から吐水口１８外に排出される。また、壁部５０によって、第二排出口２６を飛び越えて挿通孔２０下方へと流下しようとする浸入水は第二排出口２６に強制的に導かれる。
【００１９】
また、浸入水がいったんリブ４０の両側に分けられて第二排出口２６方向へ流下されるようにすることにより、浸入水が多量に集まり水流が強まることを防止でき、浸入水が第二排出口２６を容易には飛び越えないようにすることができる。なお、本例の水栓１０のように、吐水口１５が湾曲した形状とされているために、型抜きの支障となる場合など、壁部を挿通孔２０全周に渡って形成できない場合には、挿通孔２０上方寄りの、壁部５０が形成されない部位からの浸入水の流下を抑制できるので好適である。このようにして、挿通孔２０内に浸入した浸入水を効率よく排出させることができる。
【００２０】
次に、本発明の水栓の浸入水排出構造の別の実施の形態を図を参考にして詳細に説明する。なお、上記した第一の実施の形態と共通する構成については、第一の実施の形態と同一の符号を図に付して説明を省略する。図４に示すのは、挿通孔２０内に２条のリブ４０を並設した浸入水排出構造２である。この浸入水排出構造２によれば、２条のリブ４０によって浸入水を３つに分散できるので、より一層浸入水の水流を弱めることができ、浸入水を第二排出口２６から確実に排出させることができる。
【００２１】
また、図５に示す浸入水排出構造３では、リブ４０の上端部４２に凹部５２が形成されている。この浸入水排出構造３によれば、ホース１８外周面と上端部４２との間に隙間を設けることができるので、ホース１８外周面の下部を伝う浸入水をホース１８外周面から分離させやすくすることもできる。また同様に、図６に示す浸入水排出構造４のように、リブ４０の上端部４２にブラシ５４を設けることにより、ホース１８外周面と上端部４２との間に隙間を設け、ホース１８外周面の下部を伝う浸入水をホース１８外周面から分離させやすくすることができる。また、リブ自体をブラシとすることとしても良い。
【００２２】
なお、本発明は上記した実施の形態に限られるものではなく、本発明の趣旨の範囲内で種々の変更が可能である。例えば、リブ４０の形状は他のものでも良く、長さ、厚み、高さなどは適宜変更することができる。また、吐水口の形状によっては、挿通孔２０内の別の部位にリブ４０を設けることもできる。また、リブ４０を吐水口１５とは別体に形成することもできる。
【図面の簡単な説明】
【００２３】
【図１】本発明の水栓の浸入水排出構造を用いた水栓の側面視縦断面図である。
【図２】図１の要部拡大図面である。
【図３】図２のＡ−Ａ線断面図である。
【図４】別の浸入水排出構造の要部拡大図である。
【図５】さらに別の浸入水排出構造の要部拡大図である。
【図６】さらに別の浸入水排出構造の要部拡大図である。
【図７】従来の水栓の浸入水排出構造を用いた水栓の側面視縦断面図である。
【符号の説明】
【００２４】
１，２，３，４；浸入水排出構造、１０；水栓、１１；本体、１２；ボデーユニット、１３；レバーハンドル、１４；シャワーヘッド、１５；吐水口、１６；先端開口部、１７；セレーション、１８；ホース、２０；挿通孔、２２；第一排出口、２４；係止孔、２６；第二排出口、３０；水切部材、３２；セレーション、３４；開口部、３６；係止片、３８；係止突起、４０；リブ、４２；上端部、４４；基端部、４６；先端部、４８；隙間、５０；壁部、５２；凹部、５４；ブラシ、６０；排出口、６２；表面材、６４；吸水材、６６；水切部材、６８；浸入水排出構造。
【図１】
0004713976.tif 000002
【図２】
0004713976.tif 000003
【図３】
0004713976.tif 000004
【図４】
0004713976.tif 000005
【図５】
0004713976.tif 000006
【図６】
0004713976.tif 000007
【図７】
0004713976.tif 000008